(57)【要約】
【課題】構造の強化を図りつつ、一般の事務用椅子の使用法に加え、コンピュータ作業時にも最適な姿勢を保てるツーウェイ事務用椅子を提供する。
【解決手段】シート基部１２上に滑動溝１３を設け、更に該滑動溝１３上に位置を違えて設けた三つの固定孔１５により、前記滑動溝１３内に設けた背もたれ連接棒１４を背の高さの違いにより、該背もたれ連接棒１４の一端の調整ハンドル７０を前記滑動溝１３上にて滑動させ、且つ固定孔１５によって固定することでコンピュータ作業などの際に膝を背もたれクッション１７に最も快適な状態で位置させ、同時にシート基部１２上の制御ハンドル４５でシートクッション１１の傾斜角度を調整し、シートクッション１７及び背もたれ連接棒１４にコンピュータ作業時に快適な姿勢を保てる傾斜角度を付ける。
【選択図】  図１
0003100800.tif 000002
【実用新案登録請求の範囲】
【請求項１】
調整基部とシート基部と背もたれ連接棒と制御装置とより構成される事務用椅子において、
上部にシートクッションを設置するシート基部が設置される調整基部と、
定位溝並びに複数の固定孔が設けられた長溝を有するシート基部と、
長溝に形成した複数の固定孔にて定位される調整棒、及び前記シート基部の定位溝内にて定位される固定棒を有する背もたれ連接棒と、
前記シート基部内側に設置された枢接部，ばね，管、複数の制動片および該シート基部外側のカバー部、並びにこれらが設けられた横棒を含む制御装置と、
を具備し、
前記ばねの枢接部は前記シート基部内側に穿設され、該枢接部とシート基部との間に前記管，ワッシャー，及びシートクッションと螺合される複数の制動片が設けられ、
前記シート基部に穿設された枢接部の突出して露出した側にはカバー部が被せられ、該カバー部内には前記枢接部と連動関係にある制御ハンドルが枢設され、前記カバー部，枢接部，ばね，管，ワッシャー及び複数の圧制片は前記シート基部上の横棒によって穿設され、
前記シート基部の長溝内に位置を違えて設けられた複数の固定孔は、該シート基部の長溝内の背もたれ連接棒に設けられた調整棒によって選択性をもって定位され、該背もたれ連接棒が異なる湾曲角度に調整されると同時に、傾斜角度が調整されるシート基部により、異なる使用者の身長に合わせて快適な姿勢を保つ位置に調整することを特徴とする事務用椅子。
【請求項２】
前記シートクッション下端には、シート板が設けられており、このシート板下端にはシート基部第二孔部と相互に螺合されるよう、枢接孔が設けられた耳を有し、且つ前記シート基部の適当な個所には調整基部の高さを調整する調整ハンドルが設けられていることを特徴とする請求項１記載の事務用椅子。
【請求項３】
前記調整基部下端には、五つのブレーキ付キャスタが設けられていることを特徴とする請求項１記載の事務用椅子。
【考案の詳細な説明】
【技術分野】
【０００１】
本考案は、ツーウェイ事務用椅子の構造に係り、特に一般の事務用椅子としての用法、及びコンピュータ作業などにふさわしい用法の二種類の方法で使用することのできる構造が備わった事務用椅子に関する。
【背景技術】
【０００２】
従来の事務用椅子としては、例えば背もたれの角度調整機構を備えた椅子などが開発されている。先ず、このような角度調整機能を備えた椅子を簡単に説明すると（特許文献１参照）、シート内に配設されたボックスの片側にフレームが溶接され、このフレーム内にばねが内設されており、該フレームの前記ボックスとは反対側に複数の紡錘形を呈した連接体とカバー管が設けられており、該連接体と該カバー管と前記ばねは、前記ボックス内の押し棒上に穿設されており、該押し棒はナットによって前記ボックスのもう一方に固定されている。更に、ハンドル装置が設けられ、該ハンドル装置には前記シート上に枢設されている圧制ブロックを含み、該圧制ブロックの一端にはやや突出している圧制段とやや内側に窪んだ開放段とが設けられて、もう一端には更にハンドルが設けられており、該ハンドルを上向きに押し上げると該圧制ブロックの一端の圧制段が該押し棒を圧制し、該押し棒は更に該ばねを圧制し、該カバー管が外側に移動するようになっている。こうすることで、前記押し棒上の連接体が放たれて椅子を調整することができるようになり、逆に該ハンドルを下げると該圧制ブロックの圧制段が押し棒を推していない状態となり、よって該フレーム内のばねがその弾力によって元の位置に戻り、該連接体が元の定位された状態に戻り、固定されるようになっている。
【０００３】
更に、基部にはストップ壁が溶接され、該ストップ壁には基部とは反対側に紡錘形の連接体およびワッシャー及び圧制管が設けられており、該基部右側の壁部にはストップ壁，ワッシャー，連接体，圧制管を貫通する横レバーが設けられている。前記横レバー末端は、基部の左側壁部外側より突出して、該突出している側に固定されたばねと圧制板とが設けられ、ナットによって固定されている。前記横レバーのもう一端は扁平状を呈しており、その適当な個所には溝が設けられている。該溝は、フック装置のフックがかけられる個所を提供している。こうすることで、前記フックを上向きに押し上げることで、該横レバーを連動させて緩ませ、続いて該横レバー上のワッシャーと連接体と圧制管が開放され、椅子の上下の角度が自由に調整できる仕組みとなっている。
【０００４】
しかしながら、上述のような従来の椅子の構造において、フレームとボックスとを溶接によって接合していることからコストが高くなっていること、また溶接時の高温により構造の強度が落ちること、などの欠点がある。
【０００５】
また、上述のばねは、比較的直径が大きく強度の強いものを使用していることから、前記ハンドルを操作する際に必要な力はこれに相対して大きくなっているが、該ハンドルと前記圧制ブロックの連接には堅牢な固定構造が設けられていないため、このように大きな力を何度もかけて使用することで、前記ハンドルと圧制ブロックとが外れてしまいやすいといった欠点があった。
【０００６】
また、前記横レバーの扁平端上に溝を設けてフックを掛ける個所を提供し、こうすることで該横レバーの連動を制御しているが、前記横レバーを移動する際に比較的大きな力がかかることから、構造の強度が落ち易く、壊れ易いといった欠点もあると同時に、構造には細かな部品が多いことから製造及び組み立てに時間とコストがかかっている。
【０００７】
尚、コンピュータ社会となっている現代、このような従来の事務用椅子では、コンピュータ作業を行うには不適当であり、リラックスして長時間座っていることができず、使用者の仕事の効率も落ちるものである。つまり、コンピュータ作業を快適に行うには、一般の事務用椅子とは別にコンピュータ作業用の椅子を揃えることが望ましいといえる。
【０００８】
そこで、上述のような欠点のうち、特にコンピュータ作業にも適した椅子を提供するべく開発されている事務用椅子としては、背もたれ基部の両側に軌道を設け、該軌道は背もたれ底部の連接桿の滑動部に滑動するべく設置されていることにより調整が行われる構造を備えており、更にシート基部には適当な個所に前記背もたれ基部の傾斜角度を調整する調整部が設けられているものがある（特許文献２参照）。
【０００９】
上述の構造により、背もたれ連接棒が該背もたれ基部に対して直立した状態を呈した状態では一般の事務作業用として使用できるようになっており、またこれを調整してコンピュータ作業用として使用する際には、先ず該調整部を下方に引き、該背もたれ連接棒を固定している固定棒を下方へ移動させ、該背もたれ連接棒が該軌道上にて自由に滑動するようになり、該背もたれ連接棒が下方へ湾曲し、更に該背もたれ連接棒上に設けられた背もたれ（足置き）クッションも上下への調整が可能なため、該クッションに膝を置くことにより、快適にコンピュータ作業ができるようになっている。
【特許文献１】台湾特許  第５２４０７６号公報
【特許文献２】台湾特許  第３４７６８０号公報
【考案の開示】
【考案が解決しようとする課題】
【００１０】
しかしながら、上述のようなコンピュータ作業に適した従来の事務椅子においても、以下のような欠点がある。
【００１１】
先ず、背もたれ連接棒を曲げてコンピュータ作業用として使用する際、該背もたれ基部上の軌道は、前記背もたれ連接棒上の滑動部に対し、一定の湾曲角度で固定するのみであり、よって前記背もたれ（足置き）クッションの調整空間が狭く限定されて、使用者の身長によっては快適な位置に調整することができない。
【００１２】
また、構造が弱く滑動し易い円柱形の固定棒によって使用者の重量を支える背もたれ連接棒は、外れたり、亀裂が入るなどの虞があり、さらに前記背もたれ連接棒を湾曲させようとする際は、先ず固定棒を下方に動かしてからでないと前記背もたれ連接棒を移動させることができず、背もたれの調整に時間がかかるといった問題がある。
【００１３】
更に、前記背もたれ基部の傾斜角度の調整方法において、ボルトによって調整を行っているが、使用者の体重はこの細く小さな調整部によって完全に吸収されてしまい、負荷が大きすぎたり、長時間使用することにより、前記調整部が破損して使用できなくなったり、使用者がけがをしたりする事態を招くことにもつながる虞がある。
【００１４】
そこで、構造の強化を図りつつ、一般の事務用椅子の使用法に加え、使用者がコンピュータ作業時にも最適な姿勢を保てる事務用椅子を提供することを目的とする。
【課題を解決するための手段】
【００１５】
本考案の事務用椅子は、椅子本体の支えとなる調整基部を設け、該調整基部上端にはシートクッションを有するシート基部を設け、該シート基部とは対称をなす片より構成され、該シート基部には調整基部を上下に移動させて調整する調整ハンドルを設け、且つ該シート基部両側には滑動溝を設けることで、背もたれ連接棒を滑動させる個所を提供し、さらに該滑動溝の適当な個所には該背もたれ連接棒が湾曲した個所を定位するべく、位置を違えて固定孔を複数設け、
前記背もたれ連接棒はL字型を呈しており、その一端には該滑動溝の固定孔内に固定される調整棒を設け、もう一端には上下調整を行うことのできる背もたれクッションを設け、前記調整棒と該背もたれクッションとの間にはシート基部に設けられた定位溝と相互に定位される固定棒を設け、
前記シート基部の適当な個所にはシートクッションを螺設するべく第二孔部を設け、且つ該シート基部の異端には第一孔部を設け、さらに該該第一孔部両側には長溝を設けることにより制御装置を係入する個所を提供し、
前記制御装置には長溝に係入される枢接部を設け、該枢接部の一端には穿孔が設けられて横棒が挿入される個所を提供し、さらに該枢接部両側には貫通孔を設けて定位ピンを挿通する個所を提供し、
カバー部においては、一端に前記枢接部が穿設される孔を設け、且つ該枢接部外に穿設されて背もたれ基部と相互に圧制し合う関係とし、
前記横棒は、背もたれ基部片側の第一孔部に係入し、さらに枢接部内に設けられたばねと枢接部の穿孔に穿入した後、順に穿入管，ワッシャー，複数の制動片及び背もたれ基部のもう片側の第一孔部に穿入した後にナットによってきつく螺設し、また制動片上には背もたれクッション下方のシート板下部に設けられた枢設孔と枢設される孔部、並びに該シートクッションの傾斜角度を調整する滑動溝とを設け、
前記制御ハンドルは、前記枢接部の貫通孔に設置され、且つ該貫通孔と相対する個所に定位ピンが係入される穿孔を設け、
前記定位ピンは、前記カバー部の溝，該枢接部の貫通孔，該枢接部内の制御ハンドルの穿孔内に穿設した後、該制御ハンドルと該枢接部とが連動関係を呈するべくばね座金によって掛合される。
【考案の効果】
【００１６】
本考案の事務用椅子は、一般の事務用としてもコンピュータ作業用としても、使用者に合わせて調整が行え、長時間でも快適な姿勢を保って使用することが可能になったと同時に、構造が強化されて使用上の安全性を高めることができる効果がある。
【考案を実施するための最良の形態】
【００１７】
以下、図面を参照して本考案の実施例を説明する。
【実施例１】
【００１８】
図１から図３に示すように、本考案の実施例１の事務用椅子本体１には、支えとなる調整基部１０が設けられ、この調整基部１０にはシートクッション１１が設けられたシート基部１２が取り付けられている。このシート基部１２は、対称を呈した二枚の片より構成されている。前記シート基部１２には、前記調整基部１０の上下移動を制御する調整ハンドル７０が設けられており、前記シート基部１２の各片にはそれぞれ滑動溝１３が設けられている。この滑動溝１３は、背もたれ連接棒１４の調整棒１６が係入されるようになっており、この滑動溝１３には、背もたれ連接棒１４の調整棒１６が各位置にて定位されるべく、適当な個所に固定孔１５が穿設されている。
【００１９】
背もたれ連接棒１４は、L字型を呈しており、且つこのL字型を呈した背もたれ連接棒１４の短い側の辺は、前記シート基部１２の滑動溝１３内の前記調整棒１６にて滑動できるように設けられている。また、逆に該L字型を呈した背もたれ連接棒１４の長い側の辺上には、上下に調整のできる背もたれクッション１７が設けられている。前記調整棒１６と背もたれクッション１７との間には、固定棒１８が設けられており、この固定棒１８は前記シート基部１２に予め設けられた定位溝１９内に設置されており、前記シート基部１２が背もたれ連接棒１４と一直線を呈した状態になるようになっている。
【００２０】
前記シート基部１２には、その適当な個所に前記シートクッション１１と螺設関係になるシート板２０下端の枢設部を有する耳と、枢設される第二孔部２２とが設けられており、前記シート基部１２の片のうち、一つの片の第一孔部２１の両側には、長溝２３が設けられ、この長溝２３は制御装置３０が穿設される個所になっている。
【００２１】
前記制御装置３０は、前記長溝２３に係入される略コの字型の枢接部３１を有し、この枢接部３１の一端には穿孔３２が設けられており、該穿孔３２は横棒３３を挿通する個所を提供し、前記枢接部３１にはその両側に一対の貫通孔３４が穿設されており、該貫通孔３４は定位ピン３５が係入されるようになっている。
【００２２】
カバー部３６は、その一端に前記長溝２３の外側に突出する枢接部３１を係入する孔３７が設けられ、該カバー部３６は前記シート基部１２に圧制されるようになっている。
【００２３】
前記横棒３３は、前記シート基部１２片側の第一孔部２１に係入され、続いて前記枢接部３１内のばね３８と該枢接部３１の穿孔３２に係入され、更に穿入管３９，ワッシャー４０及び複数の制動片４１及びシート基部１２のもう片側の第一孔部２１に係入された後、ナットなどの固定部品４２によって螺合固定されている。また、前記横棒３３上に穿設されている制動片４１上には、シートクッション１１下端のシート板２０と枢設される孔部４３、並びに前記シートクッション１１の傾斜角度を調整する滑動溝４４が設けられている。
【００２４】
制御ハンドル４５は、前記枢接部３１の貫通孔３４に設置されており、該制御ハンドル４５が前記貫通孔３４と接する個所には定位ピン３５が係入される穿孔４８が設けられている。
【００２５】
前記定位ピン３５は、前記カバー部３６の溝４７と枢接部３１の貫通孔３４に係入され、前記枢接部３１内の制御ハンドル４５に設置されてから最後にばね座金５０によって掛合されている。こうして制御ハンドル４５と該枢接部３１とが、連動する構造を構成している。
【００２６】
図４に示すように、前記背もたれ連接棒１４の固定棒１８は、前記シート基部１２の定位溝１９に設置されて定位されると、前記背もたれ連接棒１４が事務用椅子として座った際に最も心地よい直立した状態となる。実際に本考案の実施例１を使用する際は、例えばコンピュータを使用するときなど、背もたれ連接棒１４を前方に傾けるように引き上げることで、前記固定棒１８がシート基部１２の定位溝１９を離れ、前記背もたれ連接棒１４の調整棒１６が滑動溝１３により前方から後方に向かって移動し（図５参照）、続いて背もたれ連接棒１４を後方に倒すことで下方へと引き下げられ、前記背もたれ連接棒１４の調整棒１６を滑動溝１３の最上端に設けられた固定孔１５内に係入する（図６参照）。こうすることで、使用者は臀部をシートクッション１１上に落とし、膝を背もたれ連接棒１４の背もたれクッション１７上に密着させることができるようになり（図７参照）、コンピュータを利用する際に最適の姿勢を保つことができる。
【００２７】
また、本考案の実施例１では、このような作業時に更に快適なすわり心地を提供するべく、シートクッション１１の傾斜角度を任意に設定できるよう、シートクッション１１の傾斜角度を調整する制御装置３０を設けている。これは、図８に示すように、前記制御ハンドル４５を上向きに押し上げたとき、枢接部３１が連動してばね３８を内側に収縮させ、枢接部３１に横向きの移動を生じさせるようにする。このとき、前記穿入管３９は、枢接部３１の移動により、ワッシャー４０と制動片４１と共に緩みを生じ、シート基部１２を上方に押し上げることができるようにする。このとき、前記制動片４１に設けられた滑動溝４４により、シート基部１２上のシート板２０と螺設されている制動片４１を傾斜させて必要な角度にまで上げ、更に制御ハンドル４５を下方に押す（図９参照）。前記枢接部３１内のばね３８が、その弾力によって元の伸びた状態に回復することで枢接部３１を押し、枢接部３１を元の位置に戻して、傾斜角度のついた制動片４１の固定効果を達成するようになっている。
【００２８】
前記傾斜状態を呈したシートクッション１１は、使用者の重心によってやや前傾した状態（図１０参照）となり、コンピュータを使用する者の重心が背もたれ連接棒１４上の背もたれクッション１７に吸収され、長時間コンピュータ作業をしても使用者の体がリラックスした状態を保つことができ、仕事の効率を上げることにつながる。
【００２９】
本実施例１の事務用椅子は、異なる使用者の身長を考慮し、前記シート基部１２の滑動溝１３上には間隔をあけて三つの固定孔１５が設けられており、使用者の身長がやや高い場合には前述の操作法によって背もたれ連接棒１４の調整棒１６を滑動させて下端の固定孔１５ないに定位する。このとき、背もたれ連接棒１４が後方に傾く角度は更に大きくなり（図１１参照）、こうすることで身長の高い者の膝が該背もたれ連接棒１４上の背もたれクッション１７と密着し、程よく圧迫した状態を提供することができる。同様に、前記調整棒１６を滑動溝１３の最下端の固定孔１５にまで調整した際、該背もたれ連接棒１４は更に後方に倒れて更に大きな傾斜角度（図１２参照）を呈するようになり、滑動溝１３上の三段式固定孔１５の設計により、異なる使用者の身長に合わせる目的が達成される。
【００３０】
更に、本考案の実施例１の事務用椅子は、コンピュータ作業者が重心を前傾させるときに本体１が不意に滑動してしまって危険を生じることのないよう、調整基部１０下端には、ブレーキ効果を有する五つのキャスタ６０を設けており、こうすることで使用者の安全を保つことができる。
【００３１】
また、該枢接部３１は、完全固定式ではなく可動な状態で該シート基部１２と連結しているため、溶接する手間が要らないこと、並びに高温溶接を行うことにより生じる構造の脆さからくる椅子の不安定や危険性が回避され、また該制御ハンドル４５と枢接部３１は連結の強度により優れた定位ピン３５によって枢設されているため、力のかけすぎにより該制御ハンドル４５が外れるといった危険性も防止される。
【産業上の利用可能性】
【００３２】
一般の事務用椅子の使用法に加え、コンピュータ作業時にも最適な姿勢を保つことができるコンピュータ作業用の事務用椅子として適用できる。
【図面の簡単な説明】
【００３３】
【図１】本考案実施例１の事務用椅子の構造を示す分解説明図である。
【図２】図１に示す部分の組み立て後の外観説明図である。
【図３】本案の実施例１の外観を示す説明図である。
【図４】座った状態を示す説明図である。
【図５】実施例１の事務用椅子をコンピュータ作業用などに用いるときの座位調整を説明する説明図である。
【図６】実施例１の事務用椅子をコンピュータ作業用などに用いるときの座位調整を説明する説明図である。
【図７】座った状態を示す説明図である。
【図８】シートクッション調整を示す説明図である。
【図９】シートクッション調整を示す説明図である。
【図１０】シートクッション傾斜角度を示す説明図である。
【図１１】実施例１の背もたれ連接棒に対し、湾曲角度調整を行った様子を示す説明図図である。
【図１２】背もたれ連接棒に対し、湾曲角度調整を行った様子を示す説明図である。
【符号の説明】
【００３４】
１    椅子本体
１０  調整基部
１１  シートクッション
１２  シート基部
１３  滑動溝
１４  背もたれ連接棒
１５  固定孔
１６  調整棒
１７  背もたれクッション
１８  固定棒
１９  定位溝
２０  シート板
２１  第一孔部
２２  第二孔部
２３  長溝
３０  制御装置
３１  枢接部
３２  穿孔
３３  横棒
３４  貫通孔
３５  定位ピン
３６  カバー部
３７  孔
３８    ばね
３９  穿入管
４０  ワッシャー
４１  制動片
４２  ナット
４３  孔部
４４  滑動溝
４５  制御ハンドル
４７  溝
４８  穿孔
５０  ばね座金
６０  キャスタ
７０  調整ハンドル
代理人  弁理士    伊藤  進
【図１】
0003100800.tif 000003
【図２】
0003100800.tif 000004
【図３】
0003100800.tif 000005
【図４】
0003100800.tif 000006
【図５】
0003100800.tif 000007
【図６】
0003100800.tif 000008
【図７】
0003100800.tif 000009
【図８】
0003100800.tif 000010
【図９】
0003100800.tif 000011
【図１０】
0003100800.tif 000012
【図１１】
0003100800.tif 000013
【図１２】
0003100800.tif 000014